(57)【要約】接続失敗の復旧方法、装置及びシステムを提供する。該方法において、接続再確立処理において端末機器による接続再確立が失敗した場合、端末機器はセル選択を１回又は１回以上行うことが可能となる。毎回のセル選択を行った後で、選択されたセルにおいて後続の接続再確立処理を行う。本発明の実施例によれば、端末機器が接続再確立処理を行う機会をより多く提供し、現在の接続を維持し、接続状態から離れることを回避し、端末のサービス品質及びユーザの体験品質への影響を軽減する。【選択図】図２
2016506169.tif 000002
【特許請求の範囲】
【請求項１】
接続失敗の復旧方法であって、
接続再確立処理において端末機器による接続再確立が失敗した場合、端末機器はセル選択を１回又は１回以上行うことが可能となる、方法。
【請求項２】
毎回のセル選択を行った後で、選択されたセルにおいて後続の接続再確立処理を行うことをさらに含む、請求項１に記載の方法。
【請求項３】
前記接続再確立が失敗したことは、
選択されたセルが不適切となったこと、ランダムアクセスが失敗したこと、所定の時間内に適切なセルを選択しなかったこと、所定の時間内に接続再確立メッセージを受信していないこと、又は再確立要求が拒否されたことにより接続再確立が失敗したことを含む、請求項１又は２に記載の方法。
【請求項４】
前記端末機器は、ネットワーク側により設定された指示情報に基づいて、セル選択を１回又は１回以上行い、
前記指示情報は、前記端末機器がセル選択を１回又は１回以上行うことが可能となるように指示するためのものである、請求項１乃至３のいずれかに記載の方法。
【請求項５】
前記方法は、セル選択を１回又は１回以上行った後で、
選択されたセルの基地局に、セル選択を１回又は１回以上行ったこと、及び／又はセル選択を行った回数、及び／又は毎回選択されたセルの識別情報を報告することをさらに含む、請求項４に記載の方法。
【請求項６】
ネットワーク側により設定された前記指示情報を受信することをさらに含む、請求項４に記載の方法。
【請求項７】
セル選択を１回又は１回以上行うか否かの情報をネットワーク側に送信することをさらに含む、請求項５に記載の方法。
【請求項８】
再確立要求が拒否された場合、前記端末機器がセル選択を１回又は１回以上行うことは、
接続が再確立されるターゲット基地局からセルリストを受信することと、
前記端末機器が前記セルリストから適切なセルを選択することと、を含み、
前記セルリストは、前記接続が再確立されるターゲット基地局により制御される、前記端末機器のコンテキストを含むセルを含む、請求項３に記載の方法。
【請求項９】
前記セルリストは、他の基地局により制御される、前記端末機器のコンテキストを含むセルをさらに含む、請求項８に記載の方法。
【請求項１０】
前記端末機器がセル選択を１回又は１回以上行うことは、前記端末機器が所定の時間内にセル選択を１回又は１回以上行うこと、又はセル選択を所定の回数だけ実行することを指す、請求項１乃至３のいずれかに記載の方法。
【請求項１１】
接続再確立処理において接続再確立が失敗した時に、計時又はカウントを始める、請求項１０に記載の方法。
【請求項１２】
前記端末機器が前記所定の時間及び／又は所定の回数を予め設定することをさらに含む、或いは、
ネットワーク側により設定された前記所定の時間及び／又は所定の回数を受信することをさらに含む、請求項１０又は１１に記載の方法。
【請求項１３】
接続失敗の復旧方法であって、
端末機器のために指示情報を設定することと、
前記端末機器に前記指示情報を通知することと、を含み、
前記指示情報は、接続再確立処理において接続再確立が失敗した時に、前記端末機器がセル選択を１回又は１回以上行うことが可能となるように指示するためのものである、方法。
【請求項１４】
端末機器から送信された、セル選択を１回又は１回以上行うか否かの情報を受信することと、
端末機器から送信された情報がセル選択を１回又は１回以上行う旨の情報である場合、端末機器のために指示情報を設定し、且つ／或いは所定の時間内に前記端末機器のコンテキストを維持することとをさらに含む、請求項１３に記載の方法。
【請求項１５】
ハンドオーバ処理において、設定された前記指示情報をターゲット基地局に送信することをさらに含む、請求項１３又は１４に記載の方法。
【請求項１６】
ハンドオーバ処理において、受信された端末機器がセル選択を１回又は１回以上行うか否かの情報をターゲット基地局に送信することをさらに含む、請求項１４に記載の方法。
【請求項１７】
セル選択を行うための所定の時間及び／又は所定の回数を前記端末機器に送信することをさらに含む、請求項１３又は１４に記載の方法。
【請求項１８】
接続失敗の復旧方法であって、
接続再確立処理において接続再確立が失敗した場合、端末機器がセル選択を１回又は１回以上行った情報、及び／又はセル選択を行った回数、及び／又は毎回選択されたセルの識別情報を受信することを含む、方法。
【請求項１９】
前記端末機器のコンテキストを維持し、且つ／或いは受信された前記セル選択を１回又は１回以上行った情報に基づいて性能を最適化することをさらに含む、請求項１８に記載の方法。
【請求項２０】
接続失敗の復旧方法であって、
端末機器がハンドオーバする時に、端末機器が属するセルの基地局から送信された、前記端末機器のために設定された指示情報、及び／又は接続再確立処理において接続再確立が失敗した場合に端末機器がセル選択を１回又は１回以上行うか否かの情報を受信することを含み、
前記指示情報は、接続再確立処理において接続再確立が失敗した場合に前記端末機器がセル選択を１回又は１回以上行うことが可能となるように指示するためのものである、方法。
【請求項２１】
接続失敗の復旧方法であって、
端末機器により接続が再確立されるターゲット基地局は、端末機器から送信された再確立要求メッセージを受信することと、
前記端末機器がセルリストに基づいてセル選択を１回又は１回以上行うように、前記端末機器に接続再確立拒否メッセージを戻し、前記端末機器に前記セルリストを送信することと、を含み、
前記セルリストは、前記接続が再確立されるターゲット基地局により制御される、前記端末機器のコンテキストを含むセルを含む、方法。
【請求項２２】
セル選択を１回又は１回以上行うための所定の回数及び／又は所定の時間を前記端末機器に送信することをさらに含む、請求項２１に記載の方法。
【請求項２３】
他の基地局から送信された、前記他の基地局により制御される、前記端末機器のコンテキストを含むセルを受信することをさらに含み、
前記セルリストは、他の基地局により制御される、前記端末機器のコンテキストを含むセルをさらに含む、請求項２１又は２２に記載の方法。
【請求項２４】
接続失敗の復旧装置であって、
接続再確立処理において端末機器による接続再確立が失敗した場合、セル選択を１回又は１回以上行うセル選択手段を含む、装置。
【請求項２５】
セル選択手段が毎回のセル選択を行った後で、選択されたセルにおいて後続の接続再確立処理を行う接続再確立手段をさらに含む、請求項２４に記載の装置。
【請求項２６】
前記接続再確立が失敗したことは、
選択されたセルが不適切となったこと、ランダムアクセスが失敗したこと、所定の時間内に適切なセルを選択しなかったこと、所定の時間内に接続再確立メッセージを受信していないこと、又は再確立要求が拒否されたことにより接続再確立が失敗したことを含む、請求項２４又は２５に記載の装置。
【請求項２７】
前記セル選択手段は、ネットワーク側により設定された指示情報に基づいて、セル選択を１回又は１回以上行い、
前記指示情報は、前記端末機器がセル選択を１回又は１回以上行うことが可能となるように指示するためのものである、請求項２４乃至２６のいずれかに記載の装置。
【請求項２８】
選択されたセルの基地局に、セル選択を１回又は１回以上行ったこと、及び／又はセル選択を行った回数、及び／又は毎回選択されたセルの識別情報を報告する第１の送信手段をさらに含む、請求項２７に記載の装置。
【請求項２９】
ネットワーク側により設定された前記指示情報を受信する第１の受信手段をさらに含む、請求項２７に記載の装置。
【請求項３０】
セル選択を１回又は１回以上行うか否かの情報をネットワーク側に送信する第２の送信手段をさらに含み、
前記第２の送信手段により送信された情報がセル選択を１回又は１回以上行う旨の情報である場合、前記第１の受信手段は、ネットワーク側が前記情報に基づいて前記端末機器のために設定した指示情報を受信する、請求項２９に記載の装置。
【請求項３１】
再確立要求が拒否された場合、前記セル選択手段は、
接続が再確立されるターゲット基地局からセルリストを受信する第２の受信手段と、
前記セルリストから適切なセルを選択する選択手段と、を含み、
前記セルリストは、前記接続が再確立されるターゲット基地局により制御される、前記端末機器のコンテキストを含むセルを含む、請求項２６に記載の装置。
【請求項３２】
前記セルリストは、他の基地局により制御される、前記端末機器のコンテキストを含むセルをさらに含む、請求項３１に記載の装置。
【請求項３３】
前記セル選択手段は、所定の時間内にセル選択を１回又は１回以上行う、或いはセル選択を所定の回数だけ実行する、請求項２４又は２５に記載の装置。
【請求項３４】
接続再確立処理において接続再確立が失敗した時に計時を始めるタイマ、及び／又は
接続再確立処理において接続再確立が失敗した時にカウントを始めるカウンタをさらに含む、請求項３３に記載の装置。
【請求項３５】
前記所定の時間及び／又は所定の回数を設定する第１の設定手段をさらに含む、請求項３３又は３４に記載の装置。
【請求項３６】
ネットワーク側により設定された前記所定の時間及び／又は所定の回数を受信する第３の受信手段をさらに含む、請求項３３又は３４に記載の装置。
【請求項３７】
接続失敗の復旧装置であって、
端末機器のために指示情報を設定する情報設定手段と、
前記端末機器に前記指示情報を通知する第１の通知手段と、を含み、
前記指示情報は、接続再確立処理において接続再確立が失敗した時に、前記端末機器がセル選択を１回又は１回以上行うことが可能となるように指示するためのものである、装置。
【請求項３８】
端末機器から送信された、セル選択を１回又は１回以上行うか否かの情報を受信する第４の受信手段をさらに含み、
前記第４の受信手段により受信された情報がセル選択を１回又は１回以上行う旨の情報である場合、前記端末機器のコンテキストを維持する第１の処理手段をさらに含む、或いは前記第４の受信手段により受信された情報がセル選択を１回又は１回以上行う旨の情報である場合、前記情報設定手段は、端末機器のために指示情報を設定する、請求項３７に記載の装置。
【請求項３９】
ハンドオーバ処理において、設定された前記指示情報をターゲット基地局に送信する第３の送信手段をさらに含む、請求項３７又は３８に記載の装置。
【請求項４０】
ハンドオーバ処理において、受信された端末機器がセル選択を１回又は１回以上行うか否かの情報をターゲット基地局に送信する第４の送信手段をさらに含む、請求項３８に記載の装置。
【請求項４１】
セル選択を行うための所定の時間又は所定の回数を通知する第２の通知手段をさらに含む、請求項３７又は３８に記載の装置。
【請求項４２】
接続失敗の復旧装置であって、
接続再確立処理において接続再確立が失敗した場合、端末機器がセル選択を１回又は１回以上行った情報、及び／又はセル選択を行った回数、及び／又は毎回選択されたセルの識別情報を受信する第５の受信手段を含む、装置。
【請求項４３】
前記端末機器のコンテキストを維持し、且つ／或いは受信された前記セル選択を１回又は１回以上行った情報に基づいて性能を最適化する第２の処理手段をさらに含む、請求項４２に記載の装置。
【請求項４４】
接続失敗の復旧装置であって、
端末機器がハンドオーバする時に、端末機器が属するセルの基地局から送信された、前記端末機器のために設定された指示情報、及び／又は接続再確立処理において接続再確立が失敗した場合に端末機器がセル選択を１回又は１回以上行うか否かの情報を受信する第６の受信手段を含み、
前記指示情報は、接続再確立処理において接続再確立が失敗した場合に前記端末機器がセル選択を１回又は１回以上行うことが可能となるように指示するためのものである、装置。
【請求項４５】
端末機器が属するセルの基地局から送信された、セル選択を１回又は１回以上行うための所定の時間及び／又は所定の回数を受信する第７の受信手段をさらに含む、請求項４４に記載の装置。
【請求項４６】
接続失敗の復旧装置であって、
端末機器から送信された再確立要求メッセージを受信する第８の受信手段と、
前記端末機器がセルリストに基づいてセル選択を１回又は１回以上行うように、前記端末機器に接続再確立拒否メッセージを戻し、前記端末機器に前記セルリストを送信する第５の送信手段と、を含み、
前記セルリストは、接続が再確立されるターゲット基地局により制御される、前記端末機器のコンテキストを含むセルを含む、装置。
【請求項４７】
セル選択を１回又は１回以上行うための所定の回数及び／又は所定の時間を前記端末機器に送信する第６の送信手段をさらに含む、請求項４６に記載の装置。
【請求項４８】
他の基地局から送信された、前記他の基地局により制御される、前記端末機器のコンテキストを含むセルを受信する第９の受信手段をさらに含み、
前記セルリストは、他の基地局により制御される、前記端末機器のコンテキストを含むセルをさらに含む、請求項４６又は４７に記載の装置。
【請求項４９】
請求項２４〜３６のいずれかに記載の装置を含む、端末機器。
【請求項５０】
請求項３７〜４１のいずれかに記載の装置を含む、基地局。
【請求項５１】
請求項４２又は４３に記載の装置を含む、基地局。
【請求項５２】
請求項４４若しくは４５に記載の装置、又は請求項４６〜４８のいずれかに記載の装置を含む、基地局。
【請求項５３】
請求項４９に記載の端末機器を含む、ネットワークシステム。
【請求項５４】
請求項５０に記載の基地局、及び／又は請求項５１に記載の基地局、及び／又は請求項５２に記載の基地局をさらに含む、請求項５３に記載のネットワークシステム。
【請求項５５】
接続失敗の復旧装置又は端末機器においてプログラムを実行する際に、コンピュータに、請求項１〜１２のいずれかに記載の接続失敗の復旧方法を前記接続失敗の復旧装置又は端末機器において実行させる、コンピュータ読み取り可能なプログラム。
【請求項５６】
コンピュータに、請求項１〜１２のいずれかに記載の接続失敗の復旧方法を接続失敗の復旧装置又は端末機器において実行させるためのコンピュータ読み取り可能なプログラムを記憶する、記憶媒体。
【請求項５７】
接続失敗の復旧装置又は基地局においてプログラムを実行する際に、コンピュータに、請求項１３〜２３のいずれかに記載の接続失敗の復旧方法を前記接続失敗の復旧装置又は基地局において実行させる、コンピュータ読み取り可能なプログラム。
【請求項５８】
コンピュータに、請求項１３〜２３のいずれかに記載の接続失敗の復旧方法を接続失敗の復旧装置又は基地局において実行させるためのコンピュータ読み取り可能なプログラムを記憶する、記憶媒体。
【発明の詳細な説明】
【技術分野】
【０００１】
本発明は、通信分野に関し、特に接続失敗の復旧方法、装置及びシステムに関する。
【背景技術】
【０００２】
従来の３ＧＰＰ標準では、無線リソース制御（Radio Resource Control、RRC）の接続（RRC_CONNECTED）状態にある端末機器は、失敗（例えば無線リンク障害（RLF、Radio Link Failure）、ハンドオーバ失敗（HOF、Handover Failure）、RRC接続再設定の失敗など）が発生した後で、RRC接続再確立処理を起動し、現在のRRC接続を維持し続ける。
【０００３】
しかし、本発明を達成する際に発明者が下記のことを発見した。従来の接続を再確立するメカニズムでは、適切なセルを選択するまで、「セル選択」処理を１回しか実行できない。この処理では失敗が発生した、或いは選択されたセルが不適切となった場合、端末がRRC_CONNECTED状態から離れるため、アクセス層（AS、Access Stratum）の高速障害回復処理を実行しておらず、端末のサービス品質及びユーザの体験品質（QoE）へ深い影響を及ぼす。
【０００４】
なお、背景技術に関する上記の説明は、単なる本発明の技術案をより明確、完全に説明するためのものであり、当業者を理解させるために説明するものであり。これら技術案が本発明の背景技術の部分に説明されているから当業者にとって周知の技術であると解釈してはならない。
【発明の概要】
【発明が解決しようとする課題】
【０００５】
本発明の実施例は、端末機器による接続再確立が失敗した場合、端末機器が接続状態から離れることを回避でき、端末機器のサービス品質及びユーザの体験品質への影響を軽減できる接続失敗の復旧方法、装置及びシステムを提供することを目的とする。
【課題を解決するための手段】
【０００６】
本発明の実施例の第１の態様では、接続失敗の復旧方法であって、接続再確立処理において端末機器による接続再確立が失敗した場合、端末機器はセル選択を１回又は１回以上行うことが可能となる、方法を提供する。
【０００７】
本発明の実施例の第２の態様では、接続失敗の復旧方法であって、端末機器のために指示情報を設定することと、前記端末機器に前記指示情報を通知することと、を含み、前記指示情報は、接続再確立処理において接続再確立が失敗した時に、前記端末機器がセル選択を１回又は１回以上行うことが可能となるように指示するためのものである、方法を提供する。
【０００８】
本発明の実施例の第３の態様では、接続失敗の復旧方法であって、接続再確立処理において接続再確立が失敗した場合、端末機器がセル選択を１回又は１回以上行った情報、及び／又はセル選択を行った回数、及び／又は毎回選択されたセルの識別情報を受信することを含む、方法を提供する。
【０００９】
本発明の実施例の第４の態様では、接続失敗の復旧方法であって、端末機器がハンドオーバする時に、端末機器が属するセルの基地局から送信された、前記端末機器のために設定された指示情報、及び／又は接続再確立処理において接続再確立が失敗した場合に端末機器がセル選択を１回又は１回以上行うか否かの情報を受信することを含み、前記指示情報は、接続再確立処理において接続再確立が失敗した場合に前記端末機器がセル選択を１回又は１回以上行うことが可能となるように指示するためのものである、方法を提供する。
【００１０】
本発明の実施例の第５の態様では、接続失敗の復旧方法であって、端末機器により接続が再確立されるターゲット基地局は、端末機器から送信された再確立要求メッセージを受信することと、前記端末機器がセルリストに基づいてセル選択を１回又は１回以上行うように、前記端末機器に接続再確立拒否メッセージを戻し、前記端末機器に前記セルリストを送信することと、を含み、前記セルリストは、前記接続が再確立されるターゲット基地局により制御される、前記端末機器のコンテキストを含むセルを含む、方法を提供する。
【００１１】
本発明の実施例の第６の態様では、接続失敗の復旧装置であって、接続再確立処理において端末機器による接続再確立が失敗した場合、セル選択を１回又は１回以上行うセル選択手段を含む、装置を提供する。
【００１２】
本発明の実施例の第７の態様では、接続失敗の復旧装置であって、端末機器のために指示情報を設定する情報設定手段と、前記端末機器に前記指示情報を通知する第１の通知手段と、を含み、前記指示情報は、接続再確立処理において接続再確立が失敗した時に、前記端末機器がセル選択を１回又は１回以上行うことが可能となるように指示するためのものである、装置を提供する。
【００１３】
本発明の実施例の第８の態様では、接続失敗の復旧装置であって、接続再確立処理において接続再確立が失敗した場合、端末機器がセル選択を１回又は１回以上行った情報、及び／又はセル選択を行った回数、及び／又は毎回選択されたセルの識別情報を受信する第５の受信手段を含む、装置を提供する。
【００１４】
本発明の実施例の第９の態様では、接続失敗の復旧装置であって、端末機器がハンドオーバする時に、端末機器が属するセルの基地局から送信された、前記端末機器のために設定された指示情報、及び／又は接続再確立処理において接続再確立が失敗した場合に端末機器がセル選択を１回又は１回以上行うか否かの情報を受信する第６の受信手段を含み、前記指示情報は、接続再確立処理において接続再確立が失敗した場合に前記端末機器がセル選択を１回又は１回以上行うことが可能となるように指示するためのものである、装置を提供する。
【００１５】
本発明の実施例の第１０の態様では、接続失敗の復旧装置であって、端末機器から送信された再確立要求メッセージを受信する第８の受信手段と、前記端末機器がセルリストに基づいてセル選択を１回又は１回以上行うように、前記端末機器に接続再確立拒否メッセージを戻し、前記端末機器に前記セルリストを送信する第５の送信手段と、を含み、前記セルリストは、前記接続が再確立されるターゲット基地局により制御される、前記端末機器のコンテキストを含むセルを含む、装置を提供する。
【００１６】
本発明の実施例の第１１の態様では、上記の第６の態様の装置を含む、端末機器を提供する。
【００１７】
本発明の実施例の第１２の態様では、上記の第７の態様の装置を含む、基地局を提供する。
【００１８】
本発明の実施例の第１３の態様では、上記の第８の態様の装置を含む、基地局を提供する。
【００１９】
本発明の実施例の第１４の態様では、上記の第９の態様の装置、又は上記の第１０の態様の装置を含む、基地局を提供する。
【００２０】
本発明の実施例の第１５の態様では、上記の第１１の態様の端末機器を含む、ネットワークシステムを提供する。
【００２１】
本発明の実施例の第１６の態様では、接続失敗の復旧装置又は端末機器においてプログラムを実行する際に、コンピュータに、上記の第１の態様の接続失敗の復旧方法を前記接続失敗の復旧装置又は端末機器において実行させる、コンピュータ読み取り可能なプログラムを提供する。
【００２２】
本発明の実施例の第１７の態様では、コンピュータに、上記の第１の態様の接続失敗の復旧方法を接続失敗の復旧装置又は端末機器において実行させるためのコンピュータ読み取り可能なプログラムを記憶する、記憶媒体を提供する。
【００２３】
本発明の実施例の第１８の態様では、接続失敗の復旧装置又は基地局においてプログラムを実行する際に、コンピュータに、上記の第２乃至第５の態様のいずれかに記載の接続失敗の復旧方法を前記接続失敗の復旧装置又は基地局において実行させる、コンピュータ読み取り可能なプログラムを提供する。
【００２４】
本発明の実施例の第１９の態様では、コンピュータに、上記の第２乃至第５の態様のいずれかに記載の接続失敗の復旧方法を接続失敗の復旧装置又は基地局において実行させるためのコンピュータ読み取り可能なプログラムを記憶する、記憶媒体を提供する。
【００２５】
本発明の実施例の有益な効果としては、端末機器による接続再確立が失敗した場合、該端末機器がセル選択の処理を１回又は１回以上行い、対応する接続再確立を行うことで、端末機器が接続状態から離れることを回避でき、端末機器のサービス品質及びユーザの体験品質への影響を軽減できる。
【００２６】
下記の説明及び図面に示すように、本発明の特定の実施形態が詳細に開示され、本発明の原理を採用できる方式が示される。なお、本発明の実施形態の範囲はこれらに限定されない。本発明の実施形態は、添付される特許請求の範囲の要旨及び項目の範囲内において、変更されたもの、修正されたもの及び均等的なものを含む。
【００２７】
１つの実施形態に記載された特徴及び／又は示された特徴は、同一又は類似の方式で１つ又はさらに多くの他の実施形態で用いられてもよいし、他の実施形態における特徴と組み合わせてもよいし、他の実施形態における特徴に代わってもよい。
【００２８】
なお、本文では、用語「包括／含む」は、特徴、部材、ステップ又はコンポーネントが存在することを指し、一つ又は複数の他の特徴、部材、ステップ又はコンポーネントの存在又は付加を排除しない。
【図面の簡単な説明】
【００２９】
本発明の実施例の上記及び他の目的、特徴及び利点は、下記の図面の詳細な説明を参照することで、より明確になる。
【図１】本発明の実施例１に係る接続失敗の復旧方法を示す図である。
【図２】本発明の実施例２に係る接続失敗の復旧方法のフローチャートである。
【図３】本発明の実施例３に係る接続失敗の復旧方法のフローチャートである。
【図４】本発明の実施例４に係る接続失敗の復旧方法のフローチャートである。
【図５】本発明の実施例５に係る接続失敗の復旧方法のフローチャートである。
【図６】本発明の実施例７に係る接続失敗の復旧方法のフローチャートである。
【図７】本発明の実施例８に係る接続失敗の復旧方法のフローチャートである。
【図８】本発明の実施例９に係る接続失敗の復旧方法のフローチャートである。
【図９】本発明の実施例１０に係る接続失敗の復旧装置の構成を示す図である。
【図１０】本発明の実施例１１に係る接続失敗の復旧装置の構成を示す図である。
【図１１】本発明の実施例１４に係る接続失敗の復旧装置を示す図である。
【図１２】本発明の実施例１６に係る接続失敗の復旧装置の構成を示す図である。
【図１３】本発明の実施例１８に係る接続失敗の復旧装置の構成を示す図である。
【図１４】本発明の実施例２０に係る接続失敗の復旧装置の構成を示す図である。
【発明を実施するための形態】
【００３０】
以下は、図面を参照しながら本発明の各実施形態を説明する。これらの実施形態は単なる例示的なものであり、本発明を限定するものではない。
【００３１】
従来のメカニズムでは、失敗（例えば無線リンク障害、ハンドオーバ失敗、RRC接続再設定の失敗など）が発生した後で、端末機器は無線リソース制御（RRC）の接続再確立処理により現在のRRC接続を維持し続ける。従来のRRC接続再確立処理は、TS36.331 v11.10に述べた通りであり、ここでその内容を援用する。以下は、該RRC接続再確立処理を簡単に説明する。まず、セル選択を行い、適切なセルを選択した後で該セルにおいてRRC接続再確立要求のシグナリングプロセスを行う（例えばランダムアクセスを行い、RRC接続再確立要求メッセージを送信し、RRC接続再確立メッセージ又はRRC接続再確立拒否メッセージを待ち、RRC接続再確立メッセージを受信した場合、端末がRRC接続再確立完成メッセージを応答する）。
【００３２】
しかし、実際のシステム（特に「小さいセル」のシーン）では、各種の原因でRRC接続再確立処理が失敗する可能性があるため、端末機器がRRC_CONNECTED状態から離れ、端末のサービス品質及びユーザの体験品質（QoE）へ深い影響を及ぼしてしまう。
【００３３】
従って、上記の問題点を解決するため、本発明の実施例は接続失敗の復旧方法、装置及びシステムを提供する。以下は、図面を参照しながら本発明の実施例に係る接続失敗の復旧方法を詳細に説明する。ここで、RRC接続再確立を例として接続再確立処理を説明する。
【００３４】
図１は、本発明の実施例１に係る接続失敗の復旧方法を示す図である。端末機器側では、図１に示すように、該方法は以下のステップを含む。
【００３５】
ステップ１０１：接続再確立処理において接続再確立が失敗した場合、端末機器はセル選択を１回又は１回以上行うことが可能となる。
【００３６】
本実施例では、RRC接続再確立処理について、該接続再確立が失敗したことは、以下のことを含む。
【００３７】
１）接続再確立処理において、選択されたセルが不適切となったこと、ランダムアクセスが失敗したこと、所定の時間内に適切なセルを選択しなかった（即ちＴ３１１時間超過した時に適切なセルを選択しなかった）こと、又は所定の時間内にRRC接続再確立メッセージを受信していない（即ちＴ３０１時間超過した時にRRC接続再確立メッセージを受信していない）ことにより接続再確立が失敗したこと、２）再確立要求が拒否されたことにより接続再確立が失敗したこと。
【００３８】
上記のことが発生した場合、端末機器がセル選択を１回又は１回以上行うことで、端末機器は複数の機会で接続再確立処理を行うことができ、従来メカニズムに存在する問題点を解決できる。
【００３９】
ステップ１０２：セル選択処理において毎回のセル選択を行った後で、選択されたセルにおいて後続の接続再確立処理（即ち接続再確立処理において適切なセルを選択した後で行われた処理）を行う。
【００４０】
ここで、毎回のセル選択を行った後で、選択されたセルにおいて後続の接続再確立処理を行う場合、セル選択後の接続再確立シグナリングは従来技術と類似するため、ここでその説明が省略される。
【００４１】
このように、接続再確立が失敗した場合、該端末機器がセル選択の処理を１回又は１回以上行い、対応する接続再確立を行うことで、端末機器が接続状態から離れることを回避でき、端末機器のサービス品質及びユーザの体験品質への影響を軽減できる。
【００４２】
以下は、図面を参照しながら、RRC接続再確立失敗の例として、１）選択されたセルが不適切となったこと、ランダムアクセスが失敗したこと、所定の時間内に適切なセルを選択しなかったこと、又は所定の時間内にRRC接続再確立メッセージを受信していないこと、２）再確立要求が拒否されたことを説明する。
【００４３】
図２は、本発明の実施例２に係る接続失敗の復旧方法のフローチャートである。該方法は、全ての接続再確立失敗に適用してもよく、RRC接続再確立失敗について、上記２種類の接続再確立失敗に適用してもよい。
【００４４】
図２に示すように、該方法は以下のステップを含む。
【００４５】
ステップ２０１：ネットワーク側が端末機器のために設定した指示情報を受信する。
【００４６】
本実施例では、該ネットワーク側は、端末機器による失敗（例えば無線リンク障害、ハンドオーバ失敗、RRC接続再設定失敗など）が発生する前の、端末機器が属する基地局であってもよく、例えばハンドオーバが失敗した場合、ネットワーク側の基地局はソース基地局であってもよい。
【００４７】
該指示情報は、接続再確立処理において接続再確立が失敗した場合、端末機器がセル選択を１回又は１回以上行うことが可能となるように指示するためのものである。例えば、端末機器が所定の時間内にセル選択を１回又は１回以上行う、或いはセル選択を所定の回数だけ実行するように指示する。
【００４８】
本実施例では、該基地局は該所定の時間及び／又は所定の回数を設定してもよく、該所定の時間及び／又は所定の回数は該指示メッセージに含まれ、該端末機器に通知されてもよい。また、該所定の時間及び／又は所定の回数は、他のメッセージにより送信されてもよい。
【００４９】
また、該所定の時間及び／又は所定の回数は端末機器により設定されてもよい。
【００５０】
所定の時間及び所定の回数を共に設定している場合、該端末機器は所定の方式によりそのうち１つを選択してセル選択を行ってもよい。
【００５１】
ステップ２０２：接続再確立が失敗した場合、該端末機器はネットワーク側により設定された指示情報に基づいてセル選択を行う。
【００５２】
従来のメカニズムでは、接続再確立が失敗した場合、端末機器は接続状態から離れる。本実施例では、端末機器は該指示情報に基づいてセル選択を１回又は１回以上行うことができる。
【００５３】
例えば、該端末機器は、該指示情報に基づいて、所定の時間内にセル選択を１回又は１回以上行う、或いはセル選択を所定の回数だけ実行してもよい。
【００５４】
ステップ２０２において、まずセル選択を１回行う。
【００５５】
ステップ２０３：選択されたセルにおいて、後続の接続再確立処理を行う。
【００５６】
ステップ２０４：接続再確立が成功したか、失敗したかを決定する。接続再確立が成功した場合、接続失敗が復旧し、処理が終了し、そうでない場合、ステップ２０５を実行する。
【００５７】
ステップ２０５：ステップ２０４において接続再確立が失敗した場合、セル選択を行った回数が所定の回数を超えたか、或いは時間が所定の時間を越えたかをさらに決定する。判断結果がＹＥＳの場合、処理が終了し、判断結果がＮＯの場合、ステップ２０６を実行する。
【００５８】
ここで、該端末機器にタイマ又はカウンタを設定し、接続再確立が失敗した時に計時又はカウントを始めてもよい。
【００５９】
ステップ２０６：ステップ２０５において、所定の時間又は所定の回数を超えていない場合、端末機器はセル選択を再び行い、後続のステップ２０３を実行する。そして、接続が再確立されるまで、このような処理を行う。
【００６０】
上記の実施例によれば、接続再確立が失敗した場合、該端末機器が所定の時間内にセル選択の処理を１回又は１回以上行い、或いはセル選択を所定の回数だけ行うことで、端末機器が接続状態から離れることを回避でき、端末機器のサービス品質及びユーザの体験品質への影響を軽減できる。
【００６１】
上記のステップにおいて、ステップ２０１はオプションのステップであり、該端末機器が該指示情報を受信し、且つ記憶した場合、該ステップ２０１を省略してもよい。
【００６２】
また、本実施例では、該方法は、接続再確立が失敗した時に該端末機器が計時又はカウントを始めることをさらに含んでもよい。このように、該タイマが時間を超える、或いはカウンタが最大値に達するまで、該端末機器はセル選択処理を１回又は１回以上行うことができる。
【００６３】
本実施例では、セル選択を１回又は１回以上行った後で、該方法は、選択されたセルの基地局に、セル選択を１回又は１回以上行ったこと、及び／又はセル選択を行った回数、及び／又は毎回選択されたセルの識別情報を報告することをさらに含む。上記の選択されたセルの基地局に報告された、セル選択を１回又は１回以上行ったこと、及び／又はセル選択を行った回数、及び／又は毎回選択されたセルの識別情報は、RRC再確立要求メッセージにより該基地局に報告されてもよいし、他のメッセージにより報告されてもよい。これによって、選択されたセルの基地局は、一定の時間内に該端末機器のコンテキストを維持する。また、該端末機器により報告された上記の情報は、自己最適化ネットワーク（SON、Self-optimizing Network）に関する性能最適化のメカニズムに用いられてもよい。例えば、ネットワーク側は、該端末機器により報告された上記の情報に基づいてハンドオーバのパラメータを調整してもよく、セル選択を複数回だけ行ったと端末により報告された場合、ネットワーク側はソースセルから各選択されたセルへのハンドオーバのパラメータを調整してもよい。
【００６４】
本実施例では、ステップ２０１において端末機器が指示情報を受信する前に、該方法は、セル選択を１回又は１回以上行うか否かの情報をネットワーク側に送信することをさらに含む。このように、ネットワーク側、即ち失敗（例えば無線リンク障害、ハンドオーバ失敗、RRC接続再設定失敗など）が発生した時に該端末機器が属する基地局は該情報に基づいて一定の時間内に該端末機器のコンテキストを維持する、且つ／或いはネットワーク側は該情報に基づいてステップ２０１における指示情報を端末機器に送信してもよい。
【００６５】
また、セル選択を１回又は１回以上行うか否かの情報をネットワーク側に送信するステップは、ステップ２０１の前に送信することに限定されず、ステップ２０１の後の任意のタイミングで送信してもよい。このように、ネットワーク側は該情報に基づいて一定の時間内に該端末機器のコンテキストを維持する。
【００６６】
上記の実施例によれば、接続再確立が失敗した場合、例えば選択されたセルが不適切となった場合、ランダムアクセス処理が失敗した場合、所定の時間内に適切なセルを選択していない場合、又は所定の時間内にRRC接続再確立メッセージを受信していない場合、該端末機器が予め設定された指示情報に基づいてセル選択の処理を１回又は１回以上行うことで、端末機器が接続状態から離れることを回避でき、端末機器のサービス品質及びユーザの体験品質への影響を軽減できる。
【００６７】
図３は、本発明の実施例３に係る接続失敗の復旧方法のフローチャートである。RRC接続再確立処理において、RRC再確立要求が拒否されたことによる接続再確立失敗を一例として説明する。
【００６８】
図３に示すように、該方法は下記のステップを含む。
【００６９】
ステップ３０１：接続再確立処理において、該端末機器はネットワーク側に接続再確立要求を送信する。
【００７０】
本実施例では、該端末機器は、セル選択処理において選択されたセルの基地局に該接続再確立要求を送信する。ここで、該接続再確立要求はRRC接続再確立要求であってもよい。
【００７１】
ステップ３０２：ネットワーク側により戻された接続再確立拒否メッセージを受信し、セルリストを取得する。
【００７２】
本実施例では、ネットワーク側は、該接続再確立要求を受信した後で、該要求を認める、或いは拒否してもよく、該要求を拒否した場合、該端末機器に接続再確立拒否メッセージを送信し、該端末機器は該選択されたセルの基地局により戻された接続再確立拒否メッセージを受信し、該接続再確立拒否メッセージはRRC接続再確立拒否メッセージであってもよい。
【００７３】
ここで、該端末機器がセルリストを取得するように、該接続再確立拒否メッセージは該セルリストを含んでもよい。該セルリストは、該選択されたセルの基地局により制御される、該端末機器のコンテキストを含むセルを含み、AS-Context（アクセス層コンテキスト）におけるadditionalReestabinfoListにより示されたセルに対応する（具体的には、TS36.331v11.1.0,10.3節参照、ここでその内容を援用する）。また、さらに最適化するため、該セルリストは、他の基地局により制御される、該端末機器のコンテキストを含むセルをさらに含んでもよい。このように、該接続再確立拒否メッセージが全ての準備済みのセル（即ち該セルを制御する基地局は該端末機器のコンテキストを有する）を含むことによって、該端末機器は適切なセルを見つけ、接続再確立を成功させる。
【００７４】
本実施例では、該接続再確立拒否メッセージには、セル選択を１回又は１回以上行うための所定の時間又は所定の回数が含まれてもよい。この場合、該所定の時間又は所定の回数は選択されたセルの基地局により設定される。また、該所定の時間又は所定の回数は端末機器により設定されてもよい（シグナリングにより設定される必要がない）。
【００７５】
本実施例では、該セルリストは、接続再確立拒否メッセージに限定されず、他のメッセージにおいて伝送されてもよい。
【００７６】
ステップ３０３：該端末機器は該セルリストからセルを選択する。
【００７７】
ステップ３０４乃至ステップ３０６は、実施例２におけるステップ３０３乃至ステップ３０５と類似し、ここでその説明が省略される。ステップ３０７において、ステップ３０６の判断結果がＮＯの場合、セル選択を再び行い、即ち該セルリストからセルを選択する。
【００７８】
上記の実施例によれば、接続再確立が失敗した場合、例えば再確立要求が拒否された場合、該端末機器がネットワーク側により戻されたセルリストに基づいてセル選択の処理を１回又は１回以上行うことで、端末機器が接続状態から離れることを回避でき、端末機器のサービス品質及びユーザの体験品質への影響を軽減できる。
【００７９】
図４は、本発明の実施例４に係る接続失敗の復旧方法のフローチャートである。接続再確立失敗の全ての状況、例えばRRC接続再確立処理における上記１）及び２）の接続再確立失敗の状況についての状況を説明する。端末機器による失敗（例えば無線リンク障害、ハンドオーバ失敗、RRC接続再設定失敗など）が発生する前に、その属する基地局側（ハンドオーバが失敗した場合、該基地局はハンドオーバのソース基地局側である）による方法である。
【００８０】
図４に示すように、該方法は以下のステップを含む。
【００８１】
ステップ４０１：端末機器のために指示情報を設定する。
【００８２】
ここで、該指示情報は、接続再確立処理において接続再確立が失敗した時に、該端末機器がセル選択を１回又は１回以上行うことが可能となるように指示するためのものである。
【００８３】
本実施例では、端末機器の遅延許容作業のために無線ベアラ（Radio Bearer(s)）を確立する場合に、ネットワーク側、即ち端末機器による失敗（例えば無線リンク障害、ハンドオーバ失敗、RRC接続再設定失敗など）が発生する前にその属する基地局は、遅延許容作業を行っており、且つ接続状態（例えばRRC_CONNECTED状態）にある端末機器のために該指示情報を設定してもよい。
【００８４】
ステップ４０２：該端末機器に該指示情報を通知する。
【００８５】
このように、接続再確立が失敗した場合、該端末機器がセル選択の処理を１回又は１回以上行うことで、端末機器が接続状態から離れることを回避でき、端末機器のサービス品質及びユーザの体験品質への影響を軽減できる。
【００８６】
本実施例では、該方法は、端末機器から送信された、セル選択を１回又は１回以上行うか否かの情報を受信することをさらに含んでもよい。端末機器から戻された情報がセル選択を１回又は１回以上行う旨の情報である場合、該方法は、所定の時間内に該端末機器のコンテキストを維持し、或いはステップ４０１を再び実行し、即ち端末機器のために指示情報を設定することをさらに含んでもよい。
【００８７】
また、該端末機器がハンドオーバを行う場合、該方法は、ハンドオーバ処理において、設定された該指示情報をターゲット基地局に送信することをさらに含んでもよい。ここで、該指示情報は、該端末機器のコンテキストの一部としてターゲット基地局に送信されてもよいし、該ターゲット基地局に個別的に送信されてもよい。また、該端末機器から送信された、セル選択を１回又は１回以上行うか否かの情報をターゲット基地局に送信してもよい。
【００８８】
上記の実施例によれば、ネットワーク側は該端末機器のために指示情報を設定してもよく、該端末機器による接続再確立が失敗した場合、該指示情報に基づいて該端末機器がセル選択の処理を１回又は１回以上行うことで、端末機器が接続状態から離れることを回避でき、端末機器のサービス品質及びユーザの体験品質への影響を軽減できる。
【００８９】
図５は、本発明の実施例５に係る接続失敗の復旧方法のフローチャートである。接続再確立失敗の全ての状況、例えばRRC接続再確立処理における上記１）及び２）の接続再確立失敗の状況についての状況を説明する。端末機器による接続再確立が失敗し、セル選択を１回又は１回以上行う場合、選択されたセルの基地局側による方法である。
【００９０】
図５に示すように、該方法は以下のステップを含む。
【００９１】
ステップ５０１：接続再確立処理において接続再確立が失敗した場合、端末機器がセル選択を１回又は１回以上行った情報、及び／又はセル選択を行った回数、及び／又は毎回選択されたセルの識別情報を受信する。
【００９２】
このように、接続再確立が失敗した場合、端末機器は予め設定された指示情報に基づいてセル選択処理を１回又は１回以上行ってもよい。この場合、該端末機器は、セル選択を１回又は１回以上行った旨の情報をネットワーク側、即ち選択されたセルの基地局に報告し、該選択されたセルの基地局は、該端末機器による失敗が発生した時の基地局であってもよいし、他の基地局であってもよい。
【００９３】
ステップ５０２：該端末機器のコンテキストを維持する。
【００９４】
ここで、ネットワーク側は、上記の情報を受信した後で、一定の時間内に該端末機器のコンテキスト（UE Context）を維持（保持）してもよい。
【００９５】
ステップ５０３：受信された該セル選択を１回又は１回以上行った情報に基づいて最適化する。
【００９６】
ここで、ネットワーク側は、該情報を受信した後で、該情報をＳＯＮに関連する性能最適化のメカニズム、例えばセルのハンドオーバパラメータの調整に用いてもよい。
【００９７】
上記の実施例では、ステップ５０２及びステップ５０３は、これに限定されず、同時に実行してもよいし、順序を逆にして実行してもよい。
【００９８】
本発明の実施例６は接続失敗の復旧方法をさらに提供する。接続再確立失敗の全ての状況、例えばRRC接続再確立処理における上記１）及び２）の接続再確立失敗の状況についての状況を説明する。端末機器は、失敗が発生する前に属する基地局からターゲット基地局側にハンドオーバする。
【００９９】
該方法は、端末機器がハンドオーバする時に、ターゲット基地局が、端末機器が属するセルの基地局から送信された該端末機器のために設定された指示情報を受信することを含む。該指示情報は、接続再確立処理において接続再確立が失敗した場合に前記端末機器がセル選択を１回又は１回以上行うことが可能となるように指示するためのものである。このように、該ターゲット基地局は、該指示情報を受信した後で、該端末機器のために該指示情報を設定する必要がない。
【０１００】
また、端末機器がハンドオーバする時に、該ターゲット基地局は、該端末機器が属するセルの基地局から送信された、端末機器がセル選択を１回又は１回以上行うか否かの情報をさらに受信してもよい。このように、該ターゲット基地局は、該情報に基づいて、ユーザ機器のために該指示情報を設定するか否かを判断できる。
【０１０１】
ここで、該端末機器が属するセルの基地局はソース基地局であってもよい。
【０１０２】
図６は、本発明の実施例７に係る接続失敗の復旧方法のフローチャートである。図６に示すように、該方法は以下のステップを含む。
【０１０３】
ステップ６０１：端末機器により接続が再確立されるターゲット基地局は、端末機器から送信された再確立要求メッセージを受信する。
【０１０４】
ここで、該ターゲット基地局は、該端末機器による失敗が発生する前に属する基地局であってもよいし、他の基地局であってもよい。
【０１０５】
ステップ６０２：該端末機器に接続再確立拒否メッセージを戻し、該端末機器にセルリストを送信する。ここで、該セルリストは、該接続が再確立されるターゲット基地局により制御される、該端末機器のコンテキストを含むセルを含む。
【０１０６】
本実施例では、該セルリストは、該接続再確立拒否メッセージに含まれて該端末機器に送信されてもよいし、他のメッセージにより該端末機器に個別的に送信されてもよい。このように、該端末機器は、該セルリストを取得した後で、該セルリストから適切なセルを選択できる。
【０１０７】
本実施例では、該接続再確立拒否メッセージは、接続再確立が失敗した後で、セル選択を１回又は１回以上行うための所定の時間及び／又は所定の回数をさらに含んでもよい。また、該所定の時間又は所定の回数は、他のメッセージにより該端末機器に通知されてもよい。
【０１０８】
また、本実施例では、さらに最適化するため、該セルリストは、他の基地局により制御される、該端末機器のコンテキストを含むセルをさらに含んでもよい。このように、該接続再確立拒否メッセージは全ての準備済みのセル（即ち該セルを制御する基地局は該端末機器のコンテキストを有する）を含むことで、該端末機器は適切なセルを見つけ、接続再確立を成功させる。
【０１０９】
この場合は、該方法は、他の基地局から送信された、該他の基地局により制御される、前記端末機器のコンテキストを含むセルを受信することをさらに含んでもよい。上記セルリストは、他の基地局により制御される、該端末機器のコンテキストを含むセルをさらに含む。
【０１１０】
上記の実施例によれば、端末機器による接続再確立が失敗した場合、ネットワーク側は端末機器にセルリストを送信し、該セルリストは上記ターゲット基地局及び／又は他の基地局により制御される該端末機器のコンテキストを含むセルを含む。これによって、該セルリストを取得した端末機器は、該セルリストから適切なセルを選択でき、端末機器が接続状態から離れることを回避でき、端末機器のサービス品質及びユーザの体験品質への影響を軽減できる。
【０１１１】
図７は、本発明の実施例８に係る接続失敗の復旧方法のフローチャートである。接続再確立失敗の全ての状況、例えばRRC接続再確立処理における上記１）及び２）の接続再確立失敗の状況についての状況を説明する。失敗（例えば無線リンク障害、ハンドオーバ失敗、RRC接続再設定失敗など）が発生する前に、端末機器が属する基地局はソース基地局であり、選択されたセルの基地局は、接続再確立処理のセル選択処理において選択されたセルの基地局である。
【０１１２】
図７に示すように、該方法は以下のステップを含む。
【０１１３】
ステップ７０１：ネットワーク側は、該端末機器から送信された、セル選択を１回又は１回以上行うか否かの情報を受信する。
【０１１４】
ステップ７０２：端末機器のために指示情報を設定する。
【０１１５】
ここで、該指示情報は、接続再確立処理において接続再確立が失敗した場合、端末がセル選択を１回又は１回以上行うことが可能となるように指示するためのものである。
【０１１６】
本実施例では、端末機器が遅延許容作業を行う場合、該端末機器が属する基地局（ここで、ソース基地局と称する）は、遅延許容作業を行っており、且つ接続状態（例えばRRC_CONNECTED状態）にある端末機器のために該指示情報を設定してもよい。ステップ７０３：該端末機器により送信された情報がセル選択を１回又は１回以上行う旨の情報である場合、該端末機器のコンテキストを維持し、且つ／或いは該コンテキストをＳＯＮに関連する性能の最適化に用いる。
【０１１７】
ここで、該ソース基地局は、実際の状況に応じて、該端末機器のコンテキストを維持する時間を決定してもよい。
【０１１８】
ステップ７０４：該指示情報を該端末機器に通知する。
【０１１９】
ステップ７０５：該端末機器は該指示情報を受信する。
【０１２０】
ステップ７０６：ハンドオーバ処理において、該ソース基地局は、設定された指示情報、及び／又は受信された端末がセル選択を１回又は１回以上行うかの情報をターゲット基地局に送信する。
【０１２１】
例えば、該端末機器がソース基地局からターゲット基地局にハンドオーバする場合、該ソース基地局は、該指示情報、及び／又はセル選択を１回又は１回以上行うか否かの情報を該端末機器のコンテキストの一部としてターゲット基地局に送信し、或いは該ターゲット基地局に個別的に送信することで、該ターゲット基地局は該端末機器のために該指示情報を設定する必要がない。
【０１２２】
上記のステップ７０１乃至７０６において、上記のステップ７０１はオプションのステップである。
【０１２３】
ステップ７０１及びステップ７０２の実行順序は任意のものであってもよく、このように、ネットワーク側は、遅延作業を行う全ての端末機器のために該指示情報を設定できる。
【０１２４】
また、シグナリングのオーバヘッドを節約するため、本実施例では、ステップ７０１を実行してから、ステップ７０２を実行してもよい。このように、ネットワーク側は、端末機器がセル選択を１回又は１回以上行う旨の情報を受信した場合のみ、該端末機器のために該指示情報を設定する。
【０１２５】
ステップ７０３はオプションのステップであり、ステップ７０３とステップ７０２を逆にしてもよく、ステップ７０４とステップ７０３を逆にしてもよい。
【０１２６】
ステップ７０６はオプションのステップであり、ステップ７０３乃至ステップ７０６の実行順序は任意のものであってもよい。
【０１２７】
本実施例では、RRC_CONNECTED状態にある端末機器による失敗（例えば無線リンク障害、ハンドオーバ失敗、RRC接続再設定失敗など）が発生した後で、ここで、例えばリンク失敗が発生した後で、該端末機器は、RRC_CONNECTED状態から離れることを回避するため、接続再確立処理を起動する。
【０１２８】
ステップ７０７：該端末機器は接続再確立処理を起動し、接続再確立が失敗した。
【０１２９】
本実施例では、該端末機器により起動される接続再確立処理は、TS36.331 v11.1.0に記載するようなものであり、ここでその内容を援用し、その説明が省略される。
【０１３０】
従来のメカニズムでは、該端末機器はRRC_CONNECTED状態から離れ、本発明の実施例では、この状況の発生を回避できる。
【０１３１】
ステップ７０８：該端末機器は、接続の確立を成功させるまで、該指示情報に基づいてセル選択処理を１回又は１回以上行い、後続の接続再確立シグナリングを行う。
【０１３２】
本実施例では、ステップ７０８の実行プロセスは、実施例２のステップ２０２乃至２０６と類似し、ここでその説明が省略される。
【０１３３】
ここで、ステップ７０８において、セル選択を１回又は１回以上行った後で、該端末機器は、選択されたセルの基地局に、セル選択を１回又は１回以上行ったこと、及び／又はセル選択を行った回数、及び／又は毎回選択されたセルの識別情報をさらに報告してもよく、RRC再確立要求メッセージにより該基地局に報告してもよいし、他のメッセージにより報告してもよい。
【０１３４】
ステップ７０９：選択されたセルの基地局は、該端末機器により報告された情報、即ちセル選択を１回又は１回以上行ったこと、及び／又はセル選択を行った回数、及び／又は毎回選択されたセルの識別情報を受信し、該端末機器のコンテキスト（UE Context）を維持する。
【０１３５】
該選択されたセルの基地局は所定の時間内に該端末機器のコンテキストを維持してもよく、該所定の時間は実際の状況に応じて該選択されたセルの基地局により決定されてもよい。
【０１３６】
ステップ７１０：選択されたセルの基地局は、端末機器により報告された上記情報をSONに関する性能最適化のメカニズムに用いてもよく、例えばネットワーク側は該端末機器により報告された上記情報に基づいてハンドオーバのパラメータを調整してもよい。
【０１３７】
上記の実施例によれば、該端末機器は、接続再確立が失敗した場合、ネットワーク側により設定された指示情報に基づいてセル選択の処理を１回又は１回以上行うことで、端末機器が接続状態から離れることを回避でき、端末機器のサービス品質及びユーザの体験品質への影響を軽減できる。
【０１３８】
図８は、本発明の実施例９に係る接続失敗の復旧方法のフローチャートである。RRC接続再確立において接続再確立要求が拒否されたことにより接続再確立が失敗したことを一例として説明する。端末機器が接続再確立要求を送信する時に属する基地局はターゲット基地局であり、失敗が発生する前に端末機器が属する基地局はソース基地局と称される。
【０１３９】
本実施例では、RRC_CONNECTED状態にある端末機器による失敗（例えば無線リンク障害、ハンドオーバ失敗、RRC接続再設定失敗など）が発生した後で、例えばリンク障害が発生した後で、該端末機器はRRC_CONNECTED状態から離れることを回避するため、接続再確立処理を起動する。
【０１４０】
ステップ８０１：該端末機器は接続再確立処理を起動する。
【０１４１】
本実施例では、該RRC接続再確立処理は、TS36.331 v11.1.0に記載されたものであり、ここでその内容を援用し、ここでその説明が省略される。
【０１４２】
該接続再確立処理において、該端末機器はまずセル選択を行い、適切なセルを選択した後で該セルにおいてRRC接続再確立要求のシグナリング処理を行い（例えばランダムアクセスを行い、該端末機器が該ターゲット基地局に接続再確立要求メッセージを送信し）、該端末機器は、該ターゲット基地局が該要求メッセージに基づいて戻した接続再確立拒否メッセージを受信する。
【０１４３】
本実施例では、該接続再確立拒否メッセージはセルリストを含んでもよい。
【０１４４】
ここで、該ターゲット基地局はソース基地局であってもよいし、他の基地局であってもよい。図８に示すように、本実施例では、該ターゲット基地局は他の基地局である。
【０１４５】
ここで、該接続再確立拒否メッセージはRRC接続再確立拒否メッセージである。
【０１４６】
本実施例では、該接続再確立拒否メッセージはセルリストをさらに含み、ここで、該セルリストは、該ターゲット基地局により制御される該端末機器のコンテキストを含むセルを含む。
【０１４７】
本実施例では、該セルリストは該接続再確立拒否メッセージに含まれて該端末機器に送信されているが、これに限定されず、該セルリストは他のメッセージにより該端末機器に個別的に送信されてもよい。
【０１４８】
ステップ８０２：該端末機器は該接続再確立拒否メッセージを受信し、セルリストを取得する。
【０１４９】
ステップ８０３：該端末機器は該セルリストに基づいてセル選択を１回又は１回以上行い、選択されたセルにおいて後続の接続再確立処理を行う。
【０１５０】
本実施例では、ステップ８０３は実施例３のステップ３０３乃至３０７と類似し、ここでその説明が省略される。
【０１５１】
ここで、該端末機器は、該セルリストから適切なセルを選択してもよく、例えば他のターゲット基地局を選択してもよい。
【０１５２】
また、本実施例では、さらに最適化するため、該セルリストは他の基地局により制御される該端末機器のコンテキストを含むセルをさらに含んでもよい。このように、該接続再確立拒否メッセージは、全ての準備済みのセル（即ち該セルを制御する基地局は該端末機器のコンテキストを有する）を含むことで、該端末機器は適切なセルを見つけ、接続再確立を成功させる。
【０１５３】
この場合は、該方法はステップ８００をさらに含んでもよく、ステップ８００において、該ターゲット基地局は他の基地局から送信された、該他の基地局により制御される該端末機器のコンテキストを含むセルを受信し、該セルリストは他の基地局により制御される該端末機器のコンテキストを含むセルをさらに含む。上記ステップ８００はオプションのステップである。
【０１５４】
本実施例では、基地局間では該Ｘ２メッセージにより該セルリストを交換してもよく、ここで、基地局間でハンドオーバ準備処理において準備されたセルの完全リストを交換し、該リストは複数の選択されるターゲット基地局における全ての準備済みのセルを特に含む。
【０１５５】
例えば、ハンドオーバ処理では、ソース基地局は複数のターゲット基地局にハンドオーバ準備メッセージを送信し、各ハンドオーバ準備メッセージは、該メッセージを受信する基地局内の準備済みのセルリストを含む。そして、各ターゲット基地局はＸ２メッセージにより、制御される準備済みのセルリストを他の基地局（例えばソース基地局又は他のターゲット基地局）に送信し、同様に、ソース基地局（又はあるターゲット基地局）は、収集された他のターゲット基地局の準備済みのセルリストに基づいて、全てのターゲット基地局における準備済みのセルの完全リストを図中のターゲット基地局に送信してもよい。ここで、準備済みのセルは、端末のコンテキストを含むセルを指す。
【０１５６】
上記の実施例によれば、ネットワーク側は端末機器のために複数の候補ターゲット基地局における全ての準備済みのセルを準備でき、該端末機器の接続再確立要求が拒否された場合、ネットワーク側から取得されたセルリストに基づいてセル選択の処理を１回又は１回以上行うことで、端末機器が接続状態から離れることを回避でき、端末機器のサービス品質及びユーザの体験品質への影響を軽減できる。
【０１５７】
上記実施例に係る方法における全て又は一部のステップがプログラムにより関連するハードウェアを指示することで完成でき、該プログラムはコンピュータが読み取り可能な記憶媒体に記憶されてもよく、該プログラムを実行する際に、上記実施例に係る方法における全て又は一部のステップを含んでもよく、該記憶媒体がＲＯＭ、ＲＡＭ、ディスク、光ディスクを含んでもよいことは、当業者は理解できる。
【０１５８】
下記の実施例に説明するように、本発明の実施例は接続失敗の復旧装置、端末機器及び基地局をさらに提供する。該接続失敗の復旧装置、端末機器及び基地局の問題解決の原理は、上記の接続失敗の復旧装置、端末機器及び基地局に基づく方法と類似するため、該装置、端末機器及び基地局の実施は方法の実施を参照してもよく、重複する部分について説明が省略される。
【０１５９】
図９は、本発明の実施例１０に係る接続失敗の復旧装置の構成を示す図である。端末機器側では、図９に示すように、装置９００はセル選択部９０１を含み、セル選択部９０１は、接続再確立処理において端末機器による接続再確立が失敗した場合、セル選択を１回又は１回以上行う。これによって、端末機器が接続状態から離れることを回避でき、端末機器のサービス品質及びユーザの体験品質への影響を軽減できる。
【０１６０】
図９に示すように、装置９００は接続再確立部９０２をさらに含んでもよく、接続再確立部９０２は、毎回のセル選択を行った後で、選択されたセルにおいて後続の接続再確立処理を行う。
【０１６１】
本実施例に係る装置９００の動作プロセスは実施例１に記載するようなものであり、ここでその説明が省略される。
【０１６２】
本実施例では、RRC接続再確立の場合に、該接続再確立が失敗したことは、選択されたセルが不適切となったこと、ランダムアクセスが失敗したこと、所定の時間内に適切なセルを選択しなかったこと、所定の時間内にRRC接続再確立メッセージを受信していないこと、又は再確立要求が拒否されたことにより接続再確立が失敗したことを含む。
【０１６３】
図１０は、本発明の実施例１１に係る接続失敗の復旧装置の構成を示す図である。端末機器が指示情報に基づいてセル選択を行うことを例として説明し、接続再確立失敗の全ての状況に適用する。
【０１６４】
端末機器側では、図１０に示すように、装置１０００はセル選択部１００１及び接続再確立部１００２を含む。その作用は実施例１０と類似し、ここでその説明が省略される。
【０１６５】
図１０に示すように、装置１０００は第１の受信部１００６を含み、第１の受信部１００６は、ネットワーク側が該端末機器のために設定した指示情報を受信する。
【０１６６】
ここで、該ネットワーク側は、失敗（例えば無線リンク障害、ハンドオーバ失敗、RRC接続再設定失敗など）が発生する前に該端末機器が属する基地局であり、例えばハンドオーバが失敗した時の基地局はソース基地局である。
【０１６７】
本実施例では、セル選択部１００１は、ネットワーク側により設定された指示情報に基づいて、セル選択を１回又は１回以上行い、ここで、該指示情報は、該端末機器がセル選択を１回又は１回以上行うことが可能となるように指示するためのものである。
【０１６８】
本実施例では、端末機器がセル選択を１回又は１回以上行うことは、端末機器が所定の時間内にセル選択を１回又は１回以上行う、或いはセル選択を所定の回数だけ実行することを指す。
【０１６９】
ここで、所定の時間及び／又は所定の回数は、ネットワーク側により設定されてもよいし、該端末機器により設定されてもよい。
【０１７０】
端末機器により設定されている場合、装置１０００は所定の時間及び／又は所定の回数を設定する第１の設定部（図示せず）をさらに含んでもよい。
【０１７１】
ネットワーク側により設定されている場合、装置１００はネットワーク側により設定された該所定の時間及び／又は所定の回数を受信する第３の受信部（図示せず）をさらに含んでもよい。この場合は、該所定の時間及び／所定の回数は該指示情報に含まれてもよいし、個別のメッセージを用いて送信されてもよい。該ネットワーク側は、失敗が発生する前に端末機器が属する基地局を指す。
【０１７２】
上記の場合では、装置１０００は、接続再確立処理において接続再確立が失敗した時に計時を始めるタイマ１００３、及び／又は接続再確立処理において接続再確立が失敗した時にカウントを始めるカウンタ１００４をさらに含んでもよい。
【０１７３】
本実施例では、装置１０００は、セル選択部１００１がセル選択を１回又は１回以上行った後で、選択されたセルの基地局に、セル選択を１回又は１回以上行ったこと、及び／又はセル選択を行った回数、及び／又は毎回選択されたセルの識別情報を報告する第１の送信部１００５をさらに含む。
【０１７４】
図１０に示すように、装置１０００は、セル選択を１回又は１回以上行うか否かの情報をネットワーク側に送信する第２の送信部１００７をさらに含む。このように、セル選択を１回又は１回以上行う旨の情報がネットワーク側により受信された場合、所定の時間内に該端末機器のコンテキストを維持できる。
【０１７５】
本発明の実施例１１の動作プロセスは実施例２、８と類似し、ここでその説明が省略される。
【０１７６】
本発明の実施例１２は接続失敗の復旧装置をさらに提供する。再確立要求が拒否されたことにより接続再確立が失敗する構成は、実施例１１と類似し、ここで異なる部分について説明する。
【０１７７】
本実施例では、第１の受信部１００６を含まなくてもよい。
【０１７８】
本実施例では、セル選択部は、受信されたセルリストに基づいてセル選択を１回又は１回以上行う。ここで、該セルリストは、接続が再確立されるターゲット基地局により制御される、該端末機器のコンテキストを含むセルを含む。
【０１７９】
本実施例では、該セル選択部は第２の受信部及び選択部（図示せず）を含み、第２の受信部は、接続が再確立されるターゲット基地局からセルリストを受信する。該セルリストは、接続が再確立されるターゲット基地局により制御される、該端末機器のコンテキストを含むセルを含み、該ターゲット基地局は接続再確立拒否メッセージにより該セルリストを該端末機器に送信してもよい。選択部は該セルリストから適切なセルを選択する。
【０１８０】
また、該セルリストは、他の基地局により制御される、前記端末機器のコンテキストを含むセルをさらに含む。
【０１８１】
本発明の実施例１２の動作プロセスは、実施例３、９と類似し、ここでその説明が省略される。
【０１８２】
また、該接続失敗の復旧装置は、実施例１１と実施例１２との組み合わせであってもよい。
【０１８３】
上記の実施例では、図１０に示すように、第１の送信部１００５、第２の送信部１００７、及びタイマ１００３又はカウンタ１００４はオプションのユニットである。
【０１８４】
上記の実施例によれば、端末機器による接続再確立が失敗した場合、ネットワーク側により設定された指示情報又はネットワークから送信されたセルリストに基づいてセル選択の処理を１回又は１回以上行うことで、端末機器が接続状態から離れることを回避でき、端末機器のサービス品質及びユーザの体験品質への影響を軽減できる。
【０１８５】
本発明の実施例１３は端末機器をさらに提供し、該端末機器は実施例１０乃至１２に記載された装置であってもよい。
【０１８６】
図１１は、本発明の実施例１４に係る接続失敗の復旧装置を示す図である。ソース基地局側、即ち端末機器による失敗が発生した場合の該端末機器が属する基地局側である。図１１に示すように、装置１１００は、情報設定部１１０１及び第１の通知部１１０２を含む。ここで、情報設定部１１０１は端末機器のために指示情報を設定し、該指示情報は、接続再確立処理において接続再確立が失敗した時に、該端末機器がセル選択を１回又は１回以上行うことが可能となるように指示するためのものである。第１の通知部１１０２は該端末機器に該指示情報を通知する。
【０１８７】
本実施例では、該指示情報は、セル選択を行うための所定の時間及び／又は所定の回数を含んでもよい。
【０１８８】
また、該所定の時間及び／又は所定の回数は他のメッセージにより該端末機器に送信されてもよい。この場合は、装置１１００は、端末機器に該所定の時間及び／又は所定の回数を通知する第２の通知部（図示せず）をさらに含んでもよい。
【０１８９】
図１１に示すように、装置１１００は、端末機器により戻された、セル選択を１回又は１回以上行うか否かの情報を受信する第４の受信部１１０３をさらに含む。
【０１９０】
図１１に示すように、装置１１００は、第４の受信部１１０３により受信された情報がセル選択を１回又は１回以上行う旨の情報である場合、所定の時間内に該端末機器のコンテキストを維持する第１の処理部１１０４をさらに含む。
【０１９１】
本実施例では、シグナリングのオーバヘッドを節約するため、情報設定部１１０１は、第４の受信部１１０３により受信された情報がセル選択を１回又は１回以上行う旨の情報である場合、該指示情報を再設定してもよい。
【０１９２】
図１１に示すように、装置１１００は、ハンドオーバ処理において、設定された該指示情報及び／又は受信された端末がセル選択を１回又は１回以上行うか否かの情報をターゲット基地局に送信する第３の送信部１１０５をさらに含む。このように、該ターゲット基地局は該端末機器の指示情報を設定する必要がない。また、該指示情報、及びセル選択を１回又は１回以上行うか否かの情報は、異なる送信部により送信されてもよい。
【０１９３】
本実施例では、上記の第４の受信部１１０３、第１の処理部１１０４及び第３の送信部１１０５はオプションのユニットであり、ここでその説明が省略される。
【０１９４】
上記の実施例によれば、失敗が発生する前に端末機器が属する基地局が端末機器のために指示情報を設定し、接続再確立が失敗した場合に端末機器が該指示情報に基づいてセル選択を１回又は１回以上行うことで、端末機器が接続状態から離れることを回避でき、端末機器のサービス品質及びユーザの体験品質への影響を軽減できる。
【０１９５】
本発明の実施例１５は基地局をさらに提供し、該基地局は実施例１４に係る装置を含み、該基地局は失敗が発生する前に端末機器が属する基地局であってもよい。
【０１９６】
図１２は、本発明の実施例１６に係る接続失敗の復旧装置の構成を示す図である。接続再確立が失敗した後で端末機器がセル選択を行う時に選択されたセルの基地局側である。
【０１９７】
図１２に示すように、装置１２００は、接続再確立処理において接続再確立が失敗した場合、端末機器がセル選択を１回又は１回以上行った情報、及び／又はセル選択を行った回数、及び／又は毎回選択されたセルの識別情報を受信する第５の受信部１２０１を含む。
【０１９８】
本実施例では、該装置は、該情報に基づいて所定の時間内に該端末機器のコンテキストを維持してもよし、該情報を性能最適化のメカニズムに用いてもよい。
【０１９９】
図１２に示すように、装置１２００は、受信された該セル選択を１回又は１回以上行った情報に基づいて該端末機器のコンテキストを維持し、且つ／或いは性能を最適化する第２の処理部１２０２をさらに含む。
【０２００】
本発明の実施例１７は基地局をさらに提供し、該基地局は実施例１６に係る装置を含み、該端末機器による接続再確立が失敗した場合、該端末機器はネットワーク側により設定された指示情報に基づいてセル選択１回又は１回以上行い、この場合は、該端末機器により選択されたセルの基地局は本発明の実施例１７に係る基地局である。
【０２０１】
図１３は、本発明の実施例１８に係る接続失敗の復旧装置の構成を示す図である。端末機器がハンドオーバする時のターゲット基地局側では、図１３に示すように、装置１３００は、端末機器がハンドオーバする時に、端末機器が属するセルの基地局から送信された、該端末機器のために設定された指示情報を受信する第６の受信部１３０１を含み、該指示情報は、接続再確立処理において接続再確立が失敗した場合に該端末機器がセル選択を１回又は１回以上行うことが可能となるように指示するためのものである。また、第６の受信部１３０１は、端末機器が属するセルの基地局から送信された、接続再確立が失敗した場合に端末機器がセル選択を１回又は１回以上行うか否かの情報を受信する。
【０２０２】
図１３に示すように、装置１３００は、端末機器が属するセルの基地局から送信された、セル選択を１回又は１回以上行うための所定の時間及び／又は所定の回数を受信する第７の受信部１３０２をさらに含む。
【０２０３】
本発明の実施例１９は基地局を提供し、該基地局は実施例１８に係る装置を含む。該端末機器による接続再確立が失敗した場合、例えば上記実施例における１）及び２）の接続再確立失敗が発生した場合、該端末機器はネットワーク側（例えば失敗が発生する前に属する基地局）により設定された指示情報を受信し、該端末機器がソース基地局（失敗が発生する前に属する基地局）からターゲット基地局にハンドオーバする時に、該ソース基地局は該指示情報をターゲット基地局に送信する。また、接続が失敗した後に端末機器がセル選択を１回又は１回以上行うか否かの情報を該ターゲット基地局に送信してもよいし、該所定の時間及び／所定の回数を該ターゲット基地局に送信してもよい。この場合は、該ターゲット基地局は本発明の実施例１９に係る基地局である。
【０２０４】
図１４は、本発明の実施例２０に係る接続失敗の復旧装置の構成を示す図である。端末機器から送信された接続再確立要求を受信するターゲット基地局側では、図１４に示すように、装置１４００は、端末機器から送信された再確立要求メッセージを受信する第８の受信部１４０１と、該端末機器に接続再確立拒否メッセージを戻し、該端末機器にセルリストを送信する第５の送信部１４０２と、を含む。ここで、該セルリストは、該接続が再確立されるターゲット基地局により制御される、該端末機器のコンテキストを含むセルを含む。
【０２０５】
図１４に示すように、装置１４００は、他の基地局から送信された、該他の基地局により制御される、該端末機器のコンテキストを含むセルを受信する第９の受信部１４０３をさらに含む。
【０２０６】
また、該セルリストは、他の基地局により制御される、該端末機器のコンテキストを含むセルをさらに含む。
【０２０７】
本実施例では、装置１４００は、セル選択を１回又は１回以上行うための所定の回数及び／又は所定の時間を該端末機器に送信する第６の送信部（図示せず）をさらに含んでもよい。
【０２０８】
また、該所定の時間又は所定の回数は、該再確立拒否メッセージに含まれ、第５の送信部１４０２により送信されてもよい。
【０２０９】
本発明の実施例２１は基地局をさらに提供し、該基地局は実施例２０に係る装置を含む。端末機器による接続再確立が失敗した場合、例えば接続再確立要求が拒否された場合、該端末機器はネットワーク側（例えばターゲット基地局）から送信されたセルリストを受信し、該端末機器は該セルリストに基づいてセル選択を行い、この場合は、該ターゲット基地局は本発明の実施例２１に係る基地局である。
【０２１０】
本発明の実施例２２は、実施例１３に記載の端末機器を含むネットワークシステムをさらに提供する。また、該システムは、実施例１５に記載の基地局、及び／又は実施例１７に記載の基地局、及び／又は実施例１９に記載の基地局、及び／又は実施例２１に記載の基地局をさらに含んでもよい。
【０２１１】
本実施例では、該ネットワークシステムの動作フローは、図８及び図９の実施例を参照してもよく、ここでその説明が省略される。
【０２１２】
本発明の実施例は、接続失敗の復旧装置又は端末機器においてプログラムを実行する際に、コンピュータに、実施例１乃至３に記載の接続失敗の復旧方法を該接続失敗の復旧装置又は端末機器において実行させる、コンピュータ読み取り可能なプログラムをさらに提供する。
【０２１３】
本発明の実施例は、コンピュータに、実施例１乃至３、８、９に記載の接続失敗の復旧方法を接続失敗の復旧装置又は端末機器において実行させるためのコンピュータ読み取り可能なプログラムを記憶する、記憶媒体をさらに提供する。
【０２１４】
本発明の実施例は、接続失敗の復旧装置又は基地局においてプログラムを実行する際に、コンピュータに、実施例４乃至９に記載の接続失敗の復旧方法を該接続失敗の復旧装置又は基地局において実行させる、コンピュータ読み取り可能なプログラムをさらに提供する。
【０２１５】
本発明の実施例は、コンピュータに、実施例４乃至９に記載の接続失敗の復旧方法を接続失敗の復旧装置又は基地局において実行させるためのコンピュータ読み取り可能なプログラムを記憶する、記憶媒体をさらに提供する。
【０２１６】
上記の実施例によれば、端末機器による接続再確立が失敗した場合、セル選択の処理を１回又は１回以上行うことで、端末機器が接続状態から離れることを回避でき、端末機器のサービス品質及びユーザの体験品質への影響を軽減できる。
【０２１７】
本発明の以上の装置及び方法は、ハードウェアにより実現されてもよく、ハードウェアとソフトウェアを結合して実現されてもよい。本発明はコンピュータが読み取り可能なプログラムに関し、該プログラムはロジック部により実行される時に、該ロジック部に上述した装置又は構成要件を実現させる、或いは該ロジック部に上述した各種の方法又はステップを実現させることができる。本発明は上記のプログラムを記憶するための記憶媒体、例えばハードディスク、ディスク、光ディスク、ＤＶＤ、フラッシュメモリ等に関する。
【０２１８】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び修正を行ってもよく、これらの変形及び修正も本発明の範囲に属する。
【図１】
2016506169.tif 000003
【図２】
2016506169.tif 000004
【図３】
2016506169.tif 000005
【図４】
2016506169.tif 000006
【図５】
2016506169.tif 000007
【図６】
2016506169.tif 000008
【図７】
2016506169.tif 000009
【図８】
2016506169.tif 000010
【図９】
2016506169.tif 000011
【図１０】
2016506169.tif 000012
【図１１】
2016506169.tif 000013
【図１２】
2016506169.tif 000014
【図１３】
2016506169.tif 000015
【図１４】
2016506169.tif 000016
【国際調査報告】
2016506169.tif 000017
2016506169.tif 000018
2016506169.tif 000019
2016506169.tif 000020
2016506169.tif 000021
2016506169.tif 000022